(57)【特許請求の範囲】
【請求項１】
原稿が載置される原稿載置部と、この原稿載置部の下部に配設されて上記原稿が排出される原稿排出部と、上記原稿載置部と上記原稿排出部とを繋ぐＵ字状の主搬送路と、この主搬送路の外側に配設されて当該主搬送路を搬送される上記原稿を読み取る原稿読取部と、上記主搬送路における上記原稿載置部と上記原稿読取部との間に当該主搬送路から上方へ分岐して上記原稿の搬送方向を上記原稿載置部の上方において反転させるべく設けられた折返し搬送路と、上記主搬送路の終端部から分岐し、当該主搬送路における上記折返し搬送路よりも上流側の位置に合流する帰還搬送路とを有し、上記原稿載置部に表面を上にして積載された複数枚の原稿の中から最上段の原稿を上記主搬送路に給送し、当該原稿を上記折返し搬送路でスイッチバックして、当該原稿を裏面を上記原稿読取部側に向けた状態として上記原稿読取部に搬送し、最初に当該原稿の裏面が上記原稿読取部に読み取られるとともに、当該原稿を上記帰還搬送路で上記主搬送路に戻し、再度、上記折返し搬送路でスイッチバックして当該原稿の表面を上記原稿読取部側に向けた状態として上記原稿読取部に搬送し、当該原稿の表面が上記原稿読取部に読み取られ、当該原稿を表面を下にして上記原稿排出部に排出するという自動原稿読み取り動作を行う自動原稿読取装置を備えたファクシミリ装置であって、
上記原稿読取部で読み取られた上記原稿の裏面のデータを記憶する記憶手段と、
上記原稿読取部で読み取られた上記原稿の表面のデータを送信先に送信した後、上記記憶手段に記憶された上記原稿の裏面のデータを上記送信先に送信する制御手段と、
上記主搬送路の上記原稿読取部の上流側であって、上記原稿読取部に隣接する位置に、上記第１枚目の原稿が搬送されたことを検知するタイミング検知手段とを備え、
上記制御手段は、上記原稿読取部による当該原稿の裏面のデータの読取終了後に、上記タイミング検知手段によって上記原稿が検知されたときに上記発呼動作を行わせてから、上記原稿読取部による上記原稿の表面のデータ読み取りを開始させて、上記原稿読取部で読み取られた原稿表面のデータと、上記記憶手段に記憶された原稿裏面のデータとをこの順に送信させ、上記原稿載置部から新たな原稿を上記主搬送路に給送させて、この新たな原稿についての上記自動原稿読み取り動作を開始させることを特徴とするファクシミリ装置。
【請求項２】
上記タイミング検知手段に代えて、上記折返し搬送路に上記主搬送路から上記第１枚目の原稿が搬入されたことを検知する原稿検知手段を上記折返し搬送路に備え、
上記制御手段は、上記原稿読取部による当該原稿の裏面のデータの読取終了後に、上記折返し搬送路に当該原稿が搬入されたことが上記原稿検知手段によって検知されたときに上記発呼動作を行わせてから、上記原稿読取部による上記原稿の表面のデータ読み取りを開始させて、上記原稿読取部で読み取られた原稿表面のデータと、上記記憶手段に記憶された原稿裏面のデータとをこの順に送信させ、上記原稿載置部から新たな原稿を上記主搬送路に給送させて、この新たな原稿についての上記自動原稿読み取り動作を開始させることを特徴とする請求項１記載のファクシミリ装置。
【請求項３】
請求項１又は請求項２記載のファクシミリ装置において、上記制御手段は、上記原稿読取部によって上下逆方向に読み取られた上記原稿の裏面のデータを、上下順方向に変換して上記送信先に送信することを特徴とするファクシミリ装置。
【請求項４】
請求項３記載のファクシミリ装置において、上記制御手段は、上記原稿読取部によって上下逆方向に読み取られる上記原稿の裏面のデータを上記記憶手段に読取順に書き込むデータ書込手段と、上記記憶手段に書き込まれたデータを上記データ書込手段による書込方向と逆方向に読み出すデータ読出手段とを更に有することを特徴とするファクシミリ装置。
【発明の詳細な説明】
【０００１】
【発明の属する技術分野】
本発明は、原稿の搬送方向をスイッチすることにより（以下、この方式をスイッチバック方式という。）原稿を表裏反転し、各面の画像情報を読み取って順次、送信先に送信することのできるファクシミリ装置に関するものである。
【０００２】
【従来の技術】
従来、スイッチバック方式により原稿の表裏面の画像情報が読取可能な自動原稿読取装置が知られ、ファクシミリ装置においてもかかる自動原稿読取装置を備えて原稿の表裏面の情報を送信先に送信可能にしたものが知られている。
【０００３】
スイッチバック方式により原稿を表裏反転する自動原稿装置は、小型化の要請より、例えば原稿載置部と原稿排出部とが上下二段に構成され、原稿載置部の原稿給送口及び原稿排出部の原稿排出口に臨ましめてＵ字状の主搬送路が設けられるととともに、この主搬送路の適所に原稿のスイッチバックを行う折返し搬送路と原稿を読み取る原稿読取部と片面読取後の原稿を主搬送路に戻す帰還搬送路とが設けられた構成を有している。
【０００４】
上記公報に示される自動原稿装置は、原稿読取部から主搬送路に原稿を戻す搬送路上に折返し搬送路を設けたタイプで、原稿排出部が原稿のスイッチバックのための折返し搬送路として機能するようになっている。
【０００５】
【発明が解決しようとする課題】
ところで、上記従来の自動原稿読取装置は、原稿のスイッチバックを行う折返し搬送部を原稿読取部から主搬送路の基端部に原稿を戻す経路上に設ける構成となっているので、原稿載置部から原稿を給送する搬送系（駆動ローラ対や搬送路等）と原稿のスイッチバックを行うため搬送系とを上下二段に配置する必要があり、スイッチバック用の搬送系の配置の自由度が少なく、装置のコンパクト化にも一定の限界があるという問題がある。
【０００６】
かかる問題を改善する方法として、折返し搬送部を原稿載置部と原稿読取部との間に配置する方法が考えられる。この方法は、原稿載置部と原稿排出部との間に原稿読取部を通るように配置されるＵ字状の主搬送路の上部に折返し搬送部を配置することで、スイッチバックする搬送系を配置上、原稿を給送する搬送系から分離することができ、設計の自由度が高まり、装置の小型化に寄与する。
【０００７】
しかし、このスイッチバック方式において、原稿載置部にページ順を揃えて積載された原稿を最上段から原稿を供給し、ページ順を揃えて原稿排出部に排出しようとすると、各原稿を両面とも折返し搬送路を経由して原稿読取部に搬送しなければならず、例えばＵ字状の主搬送路を搬送される原稿を外側から読み取る構成では、原稿の「表面」を上向きにして原稿載置部に載置すると、各原稿は、「裏面」から「表面」の順に読み取られることになり、ページ順に原稿を読み取ることができないという不都合がある。また、スイッチバック方式で原稿の表裏反転を行うと、原稿読取部での原稿の各面の読取方向が上下方向で互いに逆になり、各ページを上側から下側の方向に揃えることができないという不都合が生じる。
【０００８】
特に、各原稿のデータを読み取る毎に、そのデータを送信先に送信するファクシミリ装置にこのような自動原稿読取装置を適用した場合は、ページ順に各ページのデータの送信方向（原稿の上下方向）を揃えて、各原稿のデータを送信できないことになるので、この問題は重要である。
【０００９】
上述の原稿給送例において、１回目の原稿搬送ではスイッチバックを行わず、２回目の原稿搬送でスイッチバックを行うようにすれば、原稿を「表面」から「裏面」の順に読み取ることはできるが、この方法では、排出時にページ順を揃えるために両面読取後に再度、スイッチバックを行って原稿を空送りする必要があり、送信処理の高速化に反することになる。また、実際の主搬送路及び帰還搬送路により構成される周回した搬送路は、通常、その搬送路長が原稿の搬送方向の長さより短く構成されるので、原稿を周回した搬送路に一巡するように搬送させることはできない。また、スイッチバック方式である限り、各原稿は、「表面」と「裏面」とが互いに上下逆方向に読み取られるので、この方法でもデータの送信方向を改善することはできない。従って、１回目の原稿搬送でスイッチバックを行わずに原稿搬送を行う方法は、現実には採用し難い。
【００１０】
更に、原稿の送信データをページ順に各ページの上下方向を揃えて送信するようにしたとしても、最初の原稿の「表面」が読み取られるのは、原稿載置部から原稿を給送してから「裏面」を読み取った後になるので、送信先と回線を接続した後、原稿読取動作を開始させると、１ページ目のデータが送信できるまでの時間が長くなり、通信効率が低下するとともに、場合によっては回線切れが生じるおそれがあるという問題もある。
【００１１】
本発明は、上記課題に鑑みてなされものであり、スイッチバック方式により原稿を反転して表裏両面の画像情報を読み取り、その画像情報をダイレクト送信するファクシミリ装置において、送信速度を低下させることなく原稿の表裏面の画像情報を送信方向を揃えて送信することのできるファクシミリ装置を提供するものである。
【００１２】
【課題を解決するための手段】
本発明は、原稿が載置される原稿載置部と、この原稿載置部の下部に配設されて上記原稿が排出される原稿排出部と、上記原稿載置部と上記原稿排出部とを繋ぐＵ字状の主搬送路と、この主搬送路の外側に配設されて当該主搬送路を搬送される上記原稿を読み取る原稿読取部と、上記主搬送路における上記原稿載置部と上記原稿読取部との間に当該主搬送路から上方へ分岐して上記原稿の搬送方向を上記原稿載置部の上方において反転させるべく設けられた折返し搬送路と、上記主搬送路の終端部から分岐し、当該主搬送路における上記折返し搬送路よりも上流側の位置に合流する帰還搬送路とを有し、上記原稿載置部に表面を上にして積載された複数枚の原稿の中から最上段の原稿を上記主搬送路に給送し、当該原稿を上記折返し搬送路でスイッチバックして、当該原稿を裏面を上記原稿読取部側に向けた状態として上記原稿読取部に搬送し、最初に当該原稿の裏面が上記原稿読取部に読み取られるとともに、当該原稿を上記帰還搬送路で上記主搬送路に戻し、再度、上記折返し搬送路でスイッチバックして当該原稿の表面を上記原稿読取部側に向けた状態として上記原稿読取部に搬送し、当該原稿の表面が上記原稿読取部に読み取られ、当該原稿を表面を下にして上記原稿排出部に排出するという自動原稿読み取り動作を行う自動原稿読取装置を備えたファクシミリ装置であって、
上記原稿読取部で読み取られた上記原稿の裏面のデータを記憶する記憶手段と、
上記原稿読取部で読み取られた上記原稿の表面のデータを送信先に送信した後、上記記憶手段に記憶された上記原稿の裏面のデータを上記送信先に送信する制御手段と、
上記主搬送路の上記原稿読取部の上流側であって、上記原稿読取部に隣接する位置に、上記第１枚目の原稿が搬送されたことを検知するタイミング検知手段とを備え、
上記制御手段は、上記原稿読取部による当該原稿の裏面のデータの読取終了後に、上記タイミング検知手段によって上記原稿が検知されたときに上記発呼動作を行わせてから、上記原稿読取部による上記原稿の表面のデータ読み取りを開始させて、上記原稿読取部で読み取られた原稿表面のデータと、上記記憶手段に記憶された原稿裏面のデータとをこの順に送信させ、上記原稿載置部から新たな原稿を上記主搬送路に給送させて、この新たな原稿についての上記自動原稿読み取り動作を開始させるものである（請求項１）。
【００１３】
上記構成によれば、ファクシミリ装置の自動原稿読取装置は、原稿載置部に積載された複数枚の原稿から最上段の原稿を１枚ずつ主搬送路に給送し、当該原稿を折返し搬送路でスイッチバックして原稿読取部に搬送するとともに、帰還搬送路で上記主搬送路に戻し、再度、上記折返し搬送路でスイッチバックして上記原稿読取部に搬送することにより、原稿の両面を「裏面」から「表面」の順に読み取るように構成されている。
【００１４】
すなわち、自動原稿読取装置は、搬送された原稿の主搬送路の外側を臨む面を読み取るように原稿読取部が主搬送路の外側に配置され、原稿載置部に「表面」を上にして積載された複数枚のページ順の揃った原稿に対して、各原稿の両面を読み取った後、ページ順を揃えて原稿排出部に排出するようになっている。
【００１５】
原稿は「表面」を上にして原稿載置部に載置されているので、原稿載置部から主搬送走路に給送された原稿が折返し搬送路でスイッチバックされると、原稿の裏面が主搬送路の外側を臨むように反転される。従って、スイッチバック後の原稿が原稿読取部に搬送されると、当該原稿の裏面が当該原稿読取部に対向するので、１回目の搬送では原稿の「裏面」が読み取られる。１回目の原稿読取が終了すると、原稿は、２回目の原稿読取を行うべく帰還搬送路で１８０°回転させるようにして主搬送路に戻される。原稿は、原稿載置部に載置された状態に対して１８０°回転した状態（すなわち、表裏反転した状態）で主搬送路に戻されるので、この状態から折返し搬送路でスイッチバックされて原稿読取部に搬送されると、原稿の表面が原稿読取部に対向するので、２回目の搬送では原稿の「表面」が読み取られる。そして、原稿載置部から給送された各原稿は、原稿排出部に排出されるまでの間に２回、スイッチバックが行われるので、原稿載置部に載置された状態に対して表裏反転した状態で原稿排出部に排出される。従って、原稿排出部には「表面」を下向きにしてページ順の揃った複数枚の原稿が排出される。
【００１６】
上記自動原稿読取装置において、１回目の原稿読取で原稿の裏面が読み取られると、その読取データは記憶手段に記憶される。そして、２回目の原稿読取で原稿の表面が読み取られると、その読取データは直ちに送信先に送信され、この後、記憶手段から「裏面」の読取データを読み出して送信先に送信される。これにより、送信先には、各原稿の両面のデータが「表面」から「裏面」の順に送信される。
【００１７】
上記構成によれば、最初の原稿が、「裏面」のデータが読み取られた後、帰還搬送路を介して主搬送路に戻され、更に折返し搬送路でスイッチバックされた後、主搬送路における原稿読取部の上流側に搬送され、当該原稿がタイミング検知手段で検知されたときに発呼動作が行われる。
【００１８】
また、上記タイミング検知手段に代えて、上記折返し搬送路に上記主搬送路から上記第１枚目の原稿が搬入されたことを検知する原稿検知手段を上記折返し搬送路に備え、
上記制御手段は、上記原稿読取部による当該原稿の裏面のデータの読取終了後に、上記折返し搬送路に当該原稿が搬入されたことが上記原稿検知手段によって検知されたときに上記発呼動作を行わせてから、上記原稿読取部による上記原稿の表面のデータ読み取りを開始させて、上記原稿読取部で読み取られた原稿表面のデータと、上記記憶手段に記憶された原稿裏面のデータとをこの順に送信させ、上記原稿載置部から新たな原稿を上記主搬送路に給送させて、この新たな原稿についての上記自動原稿読み取り動作を開始させる構成としてもよい（請求項２）。
【００１９】
上記構成によれば、最初の原稿が、「裏面」のデータが読み取られた後、帰還搬送路を介して主搬送路に戻され、更に折返し搬送路に搬入された場合に、当該原稿が原稿検知手段で検知されたときに、発呼動作が行われる。
【００２０】
また、上記制御手段は、上記原稿読取部によって上下逆方向に読み取られた上記原稿の裏面のデータを、上下順方向に変換して上記送信先に送信するように構成してもよい（請求項３）。
【００２１】
上記構成によれば、上下逆方向に読み取られた（すなわち、原稿面の下側から上側に読み取られた）原稿の「裏面」のデータは、上下順方向のデータ（すなわち、原稿面の上側から下側に読み取られたものに相当するデータ）に変換されて送信先に送信される。これにより、送信先には、各原稿の両面のデータが「表面」から「裏面」の順に、それぞれ上下順方向に送信される。
【００２２】
あるいは、上記制御手段は、上記原稿読取部によって上下逆方向に読み取られる上記原稿の裏面のデータを上記記憶手段に読取順に書き込むデータ書込手段と、上記記憶手段に書き込まれたデータを上記データ書込手段による書込方向と逆方向に読み出すデータ読出手段とを更に有する構成としてもよい（請求項４）。
【００２３】
上記構成によれば、上下逆方向に読み取られる原稿の「裏面」のデータは、読取順に記憶手段に書き込まれる。そして、原稿の「裏面」データの送信時に、この記憶手段から書込方向と逆方向にデータを読み出すことで（すなわち、上下順方向に読み出すことで）、原稿の「裏面」のデータが上下順方向に変換されて送信先に送信される。
【００２４】
【発明の実施の形態】
図１は、本発明に係るファクシミリ装置の一実施の形態を示す要部構成図である。
【００２５】
ファクシミリ装置１は、本体上部に自動原稿送り部２が設けられ、本体下部にファクミリ機能を行うデータ通信処理部３が設けられている。自動原稿送り部２の上面略中央に、原稿載置部４と原稿排出部５とが上下二段に設けられ、前端部（図１において左側）に原稿を搬送する原稿搬送部６が設けられている。なお、以下の説明では、便宜上、原稿載置部４で原稿が給送される側（図１において左側）を「前側」、原稿排出部５で原稿が排出される側（図１において右側）を「後側」という。
【００２６】
自動原稿送り部２は、原稿載置部４に積層された原稿を最上段から１枚ずつ自動的に給送するようになされている。以下、この原稿給紙方式を「原稿上取り方式」という。また、自動原稿送り部２は、片面だけの原稿読取（以下、片面原稿読取という。）のための原稿給送だけでなく、両面の原稿読取（以下、両面原稿読取という。）のための原稿給送も可能になされている。このため、原稿搬送部６には、片面原稿読取を行う際に原稿載置部４から原稿排出部５にＵ字状に原稿を搬送するためのＵ字搬送部６１と、両面原稿読取を行う際に原稿をスイッチバック方式により表裏反転するための折返し搬送部６２と、両面原稿読取を行う際に原稿読取後の原稿を表裏反転するべく折返し搬送部６２側に戻す帰還搬送部６３とが設けられている。
【００２７】
また、自動原稿送り部２は、片面原稿読取及び両面原稿読取のいずれの場合にも複数枚の原稿をページ順を揃えて原稿排出部５に排出できるように構成されている。すなわち、本実施の形態では、原稿上取り方式を採用しているので、図３に示すように、原稿載置部４から給送された原稿Ｐを折返し搬送部６２でスイッチバックした後（すなわち、「裏面」に反転した後）、原稿読取部７に搬送し、「裏面」の画像データを読み取らせ、次に、原稿Ｐを帰還搬送部６３で再度、Ｕ字稿搬送部６１に戻し、更に原稿Ｐを折返し搬送部６２で「表面」に反転した後、原稿読取部７に搬送し、「表面」の画像データを読み取らせるようにしている。
【００２８】
なお、図３において、原稿Ｐの太線部分は、原稿の「裏面」を示し、三角印は、原稿の「表面」の上側を示している。同図において、原稿載置部４に載置される原稿Ｐの紙面における上下方向が逆であっても排出後のページ順には影響しない。
【００２９】
原稿載置部２の前端部に、図２に示すように、分離給送部４１が設けられている。分離給送部４１は、原稿セットセンサＳ１、給紙ローラ４１１、分離コロ４１２及び前送りローラ４１３から構成されている。
【００３０】
原稿セットセンサＳ１は、原稿載置部４の原稿トレイ４０１上の原稿Ｐの有無を検出するもので、原稿トレイ４０１の前端底部に設けられている。前送りローラ４１３は、原稿Ｐをピックアップするもので、原稿トレイ前端部の上方位置に昇降可能に設けられている。前送りローラ４１３は、図略の給紙ソレノイドにより上昇位置と下降位置とが切り換えられる。給紙ローラ４１１及び分離コロ４１２は、前送りローラ４１３でピックアップされた原稿Ｐを捌きつつ最上段の原稿Ｐのみを原稿搬送部６に給送するもので、原稿トレイ４０１の先端に配置されている。給紙ローラ４１１は、図略の給紙モータを駆動源として回転駆動され、分離コロ４１２は、給紙ローラ４１１に従動して回転する。なお、給紙ローラ４１１は、図略の給紙クラッチにより給紙モータの一方方向の回転駆動力が伝達され、図２において時計回り方向の回転（以下、この方向の回転を正方向回転若しくは正転という。）のみを行うようになっている。
【００３１】
原稿搬送部６のＵ字搬送部６１は、Ｕ字状の搬送路を構成する第１搬送路６１１〜第５搬送路６１５、フィードセンサＳ２、タイミングセンサＳ３、レジストローラ対６１６、上搬送ローラ対６１７、下搬送ローラ対６１８、中間ローラ対６１９及び排出ローラ対６２０を備えている。
【００３２】
第１搬送路６１１及び第２搬送路６１２は、給紙ローラ４１１及び分離コロ４１２の下流側に略直線状に伸びており、第１搬送路６１１の基端部にフィードセンサＳ２が配設され、第１搬送路６１１と第２搬送路６１２との間にレジストローラ対６１６が配設されている。また、第２搬送路６１２の下方位置に原稿Ｐを読み取る原稿読取位置Ｐ３が設けられ、この原稿読取位置Ｐ３を通過するように、第４搬送路６１４が配置されている。そして、第４搬送路６１４と第２搬送路６１２との間にＣ字状に湾曲した第３搬送路６１３が配設され、第４搬送路６１４と原稿排出部３との間に第５搬送路６１５が配設されている。また、第４搬送路６１４の基端部にタイミングセンサＳ３が配設されている。
【００３３】
また、第２搬送路６１２と第３搬送路６１３との間、第３搬送路６１３と第４搬送路６１４との間及び第４搬送路６１４と第５搬送路６１５との間の各搬送路の連結位置に、それぞれ上搬送ローラ対６１７、下搬送ローラ対６１８及び中間ローラ対６１９が配設され、第５搬送路６１５の終端位置に排出ローラ対６２０が配設されている。
【００３４】
フィードセンサＳ２は、原稿Ｐが原稿載置部４から給送されたことを検出するものである。フィードセンサＳ２の検出信号は後述のレジストローラ対６１６の駆動開始タイミングの制御に用いられる。
【００３５】
レジストローラ対６１６は原稿載置部４から給送された原稿Ｐの斜め給紙を補正するものである。レジストローラ対６１６も給紙ローラ４１１を駆動する給紙モータにより駆動され、レジストローラ対６１６には、上述の給紙クラッチを介して給紙モータの他方向の回転駆動力が伝達されるようになっている。従って、レジストローラ対６１６には、図２において反時計回り方向の回転（以下、この方向を逆回転方向若しくは逆転という。）、すなわち、原稿Ｐを下流側に搬送する方向の回転のみを行う。
【００３６】
また、上搬送ローラ対６１７及び下搬送ローラ対６１８は、搬送路内の原稿Ｐに搬送力を与えて原稿読取位置Ｐ３に搬送するものである。また、中間ローラ対６１９は、原稿読取後の原稿Ｐに搬送力を与えて原稿排出部５への排出若しくは第１搬送路６１１への戻しを行うものであり、排出ローラ対６２０は、読取終了後の原稿Ｐを原稿排出部５に排出するものである。
【００３７】
上搬送ローラ対６１７、下搬送ローラ対６１８、中間ローラ対６１９及び排出ローラ対６２０は、給紙モータとは異なる図略の搬送モータで駆動されるようになっている。上搬送ローラ対６１７、下搬送ローラ対６１８及び中間ローラ対６１９は、搬送モータにより逆方向回転され、排出ローラ対６２０は、同搬送モータにより正方向回転される。
【００３８】
なお、第４搬送路６１４の原稿読取位置Ｐ３の下部には、コンタクトガラス３０１が設けられ、このコンタクトガラス３０１の下方位置に、例えばＣＣＤラインセンサからなる撮像センサを備えた原稿読取部７が設けられている。
【００３９】
折返し搬送部６２は、Ｕ字搬送部６１の上部に設けられている。折返し搬送部６２は、スイッチバック方式により原稿の搬送方向の前後を逆にすることで原稿読取部７における原稿Ｐの読取面を反転させる。すなわち、Ｕ字搬送部６１の第１搬送路６１１から原稿Ｐを折返し搬送部６２に搬送し、原稿Ｐの搬送方向を前後逆にしてＵ字搬送部６１の第３搬送路６１３に搬送することで、原稿ＰのＵ字搬送部６１の搬送路の外側に対向する面を表裏反転し、これにより原稿読取部７に対向する原稿読取面を反転するものである。
【００４０】
折返し搬送部６２は、第６搬送路６２１〜第８搬送路６２３、反転ローラ６２４及び反転コロ６２５を備えている。
【００４１】
第６搬送路６２１は、原稿ＰをＵ字搬送部６１の搬送路から第７搬送路６２２（折返し用の搬送路。以下、折返し搬送路６２２という。）に導くものであり、第８搬送路６２３は、折返し搬送路６２２でスイッチバックされた原稿Ｐを再度、Ｕ字搬送部６１の搬送路に導くものである。また、折返し搬送路６２２は、原稿Ｐをスイッチバックするため、原稿ＰをＵ字搬送部６１の搬送路から退避させる退避路である。原稿Ｐを折返し搬送路６２２に搬送し、一旦停止した後、原稿Ｐを逆行させることで原稿Ｐのスイッチバックが行われる。
【００４２】
なお、本実施の形態では、Ｕ字搬送部６１の上部に折返し搬送部６２を設ける構造を採用しているので、装置上面に隣接して設けられる折返し搬送路６２２の一部（図２の点線部参照）を省略することで装置の小型化を図るようにしている。
【００４３】
第６搬送路６２１は、第２搬送路６１２の基端部から分岐して斜め上方に形成され、その先端部に分岐して斜め左下方向に伸びる第８搬送路６２３が形成されている。そして、第８搬送路６２３の先端が第２搬送路６１２の先端に合流している。折返し搬送路６２２は、第６搬送路６２１の先端に連続して原稿載置部４側に湾曲させて形成されている。
【００４４】
また、第２搬送路６１２と第６搬送路６２１との分岐位置に、第２搬送路６１２と第６搬送路６２１とを切り換える反転分岐レバー６４１が設けられ、第６搬送路６２１の適所に原稿Ｐが折返し搬送部６２に搬送されていることを検出する反転センサＳ４が設けられている。
【００４５】
また、第６搬送路６２１及び第８搬送路６２３と折返し搬送路６２２との連結位置に、反転ローラ６２４と反転コロ６２５とが互いに接離可能に配設されている。本実施の形態では、反転コロ６２５が反転ローラ６２４への圧接位置とその圧接を解除する解除位置とに切換可能に配設され、図略の反転加圧ソレノイドにより設定位置が切り換えられるようになされている。圧接位置に設定されると、反転コロ６２５は、反転ローラ６２４に従動し、原稿Ｐが折返し搬送路６２２側若しくは第８搬送路６２３側に搬送可能となる。また、解除位置に設定されると、原稿Ｐの反転ローラ６２４及び反転コロ６２５によるニップが解除され、原稿Ｐのスイッチバック後の斜め補正が可能となる。
【００４６】
反転ローラ６２４及び反転コロ６２５は、原稿Ｐのスイッチバックを行うものである。反転ローラ６２４は、上述の給紙モータにより回転駆動される。給紙モータの駆動力は給紙クラッチを介することなく反転ローラ６２４に伝達され、反転ローラ６２４は、給紙モータの駆動に応じて正逆両方向の回転駆動するようになっている。
【００４７】
帰還搬送部６３は、湾曲した搬送路からなり、第５搬送路６１５の基端部に分岐して設けられ、その先端は第１搬送路６１１の先端に合流している。また、第５搬送路６１５及び帰還搬送路６３の分岐位置に、第５搬送路６１５と帰還搬送路６３とを切り換える排出分岐レバー６４２が配設されている。
【００４８】
図１に戻り、データ通信処理部３は、自動原稿送り部２で給送される原稿の画像情報を順次、読み取り、設定された送信先のファクシミリ装置に送信する一方、相手のファクシミリ装置から送信された画像データを受信し、その画像データをロール紙やカットシート紙等の記録紙の出力する（視覚化する）もので、コピー機能が設けられている場合には、読み取った原稿の画像データを記録紙に出力してその複製を作成するものである。
【００４９】
データ通信処理部３には画像処理部８及び制御部９が設けられ、原稿読取部７で読み取られた画像情報は、画像処理部８を介して制御部９に出力される。なお、自動原稿送り部２、原稿読取部３、画像処理部８及び制御部９により本発明に係る自動原稿読取装置が構成されている。
【００５０】
図４は、ファクシミリ装置のブロック構成の一実施の形態を示す図である。また、図５は、自動原稿送り部２の制御系の一実施の形態のブロック構成を示す図てある。
【００５１】
図５において、図１，図２に示した部材と同一部材には同一番号を付している。また、給紙モータ６５１は、給紙ローラ４１１、前送りローラ４１３、レジストローラ対６１６及び反転ローラ６２４の駆動源である。すなわち、給紙モータ６５１は、原稿載置部４に載置された原稿Ｐを第１搬送路６１１に給送するとともに、折返し搬送部６２に搬送された原稿Ｐのスイッチバックを行うための駆動源である。また、給紙クラッチ６５３はワンウェイクラッチからなり、給紙モータ６５１の駆動力（正転駆動）を給紙ローラ４１１及び前送りローラ４１３に伝達するものである。レジストクラッチ６５４はワンウェイクラッチからなり、給紙モータ６５１の駆動力（逆転駆動）をレジストローラ対６１６に伝達するものである。
【００５２】
給紙モータ６５１が正転駆動するとき、その駆動力は給紙クラッチ６５３を介して給紙ローラ４１１及び前送りローラ４１３に伝達され、給紙モータ６５１が逆転駆動するとき、その駆動力はレジストクラッチ６５４を介してレジストローラ対６１６に伝達される。また、反転ローラ６２４には給紙モータ６５１の駆動力が直接、伝達され、反転ローラ６２４は、給紙モータ６５１の正逆回転に応じて正逆両方向に回転する。
【００５３】
搬送モータ６５２は、上搬送ローラ対６１７、下搬送ローラ対６１８、中間ローラ対６１９及び排出ローラ対６２０の駆動源である。
【００５４】
給紙ソレノイド６６１は、前送りローラ４１３を上昇位置と下降位置（原稿当接位置）とに切り換える切換部材である。給紙ソレノイド６６１は、例えば「ＯＮ」にすると、前送りローラ４１３が下降位置になり、「ＯＦＦ」にすると、前送りローラ４１３が上昇位置になる。
【００５５】
反転加圧ソレノイド６６２は、反転コロ６２５を反転ローラ６２４への圧接位置と離脱位置とに切り換える切換部材である。反転加圧ソレノイド６６２は、例えば「ＯＮ」にすると、反転コロ６２５が圧接位置になり、「ＯＦＦ」にすると、反転コロ６２５が離脱位置になる。
【００５６】
また、反転ソレノイド６６３及び排出ソレノイド６６４は、それぞれ反転分岐レバー６４１と排出分岐レバー６４２の切換部材である。反転ソレノイド６６３は、例えば「ＯＮ」にすると、第６搬送路６２１が「開」（第２搬送路６１２が「閉」）になり、「ＯＦＦ」にすると、第６搬送路６２１が「閉」（第２搬送路６１２が「開」）になる。また、排出ソレノイド６６４は、例えば「ＯＮ」にすると、帰還搬送部６３が「開」（第５搬送路６１５が「閉」）になり、「ＯＦＦ」にすると、帰還搬送部６３が「閉」（第５搬送路６１５が「開」）になる。
【００５７】
図４において、図１，図２に示す部材と同一部材には同一番号を付している。また、画像処理部８は、画像読取部３で読み取られた画像信号に所定の信号処理（レベル補正、γ補正、Ａ／Ｄ変換等）を施すものである。
【００５８】
画像メモリ１０は、原稿読取部７で読み取られた原稿画像の画像データを一時、記憶させるものである。画像メモリ１０には、原稿読取部７により原稿を下側から上側の方向（以下、上下逆方向という。）に読み取られた画像データを原稿を上側から下側の方向（以下、上下正方向という。）の画像データに変換するため、当該画像データが一時、保存される。
【００５９】
画像メモリ１０は、上下逆方向に読み取られる画像データを一時的に保存するものであるから、少なくとも原稿読取可能な最大サイズの１ページ分（例えばＢ４サイズまで読取可能な場合は、Ｂ４サイズ原稿１ページ分）の画像情報が記憶可能な容量を有している。
【００６０】
画像記録部１１は、原稿読取部７で読み取られた画像データや他のファクシミリ装置１８（以下、ＦＡＸ１８と略称する。）から送信された画像データを用紙に記録するもので、例えばレーザプリンタで構成されている。
【００６１】
符号化／復号化部１２は、送信すべき画像データの圧縮／符号化を行い、受信した画像データの伸長／復号化を行うものである。変復調部１３は、圧縮／符号化された画像データの音声信号への変調及び受信した音声信号の画像データへの復調を行うものである。また、ＮＣＵ１４は、ファクシミリ装置１を電話回線１７を介して他のＦＡＸ１８に接続するための装置である。
【００６２】
操作部１５は、ファクシミリ送信を行う際の相手のＦＡＸ Ｎｏ．の入力、フ
ァクシミリ送信の開始／停止等の種々の操作を行うもので、ファクシミリ装置１の図略の操作パネル上に設けられている。表示部１６は、ＬＣＤ（Liquid Crystal Display）等からなり、回線接続状態、送受信信状態、入力キー等の種々の表示を行うものである。表示部１６もファクシミリ装置１の図略の操作パネル上に設けられている。
【００６３】
制御部９は、マイクロコンピュータからなり、自動原稿送り部２〜表示部１６の各部材の動作を制御してファクシミリ装置１のファクシミリ機能を集中制御するものである。制御部９は、自動原稿送り部２及び原稿読取部７の駆動を制御して送信すべき複数枚の原稿の片面又は両面の読取りを制御するとともに、読み取られた各原稿のデータの送信先のＦＡＸ１８へのファクシミリ送信を制御する。このとき、両面原稿のデータを送信する際は、各原稿は、原稿読取部７で「裏面」から「表面」の順に読み取られるので、制御部９は、「裏面」のデータを一旦、画像メモリ１０に記憶しておき、「表面」のデータが読み取られ、ＦＡＸ１８に送信された後、画像メモリ１０から「裏面」データを読み出し、ＦＡＸ１８に送信することで、ＦＡＸ１８には「表面」から「裏面」の順に（すなわち、ページ順に）データを送信する。
【００６４】
更に、制御部９は、ＦＡＸ１８への発呼タイミングを１枚目の原稿の「裏面」が読み取られた後から「表面」が読み取られるまでの所定のタイミングに制御し、送信処理の効率化を図る。
【００６５】
次に、ファクシミリ装置１の本発明に係る両面原稿のファクシミリ送信処理について説明する。
【００６６】
ファクシミリ装置１は、原稿載置部４にページ順の揃った複数枚の原稿が「表面」を上にして載置され、操作部１５から送信先のＦＡＸ Ｎｏ．、両面原稿送
信モード、送信指示等の情報が入力されると、各原稿について、図３に示す原稿読取動作を行い、その読取データを「表面」から「裏面」の順に変換して送信先のＦＡＸ１８に送信する。
【００６７】
図３に示す原稿読取方法では、原稿Ｐの各面は、図６に示すように読み取られ、原稿の表裏面の読取順が表裏逆になるとともに、「裏面」の読取方向が上下逆になるので、ファクシミリ装置１は、「裏面」の読取データを画像メモリ１０に一旦、保存し、「表面」の読取データをＦＡＸ１８に送信した後、「裏面」の読取データを上下順方向（紙面に対して上から下の方向）に変換してＦＡＸ１８に送信する。
【００６８】
「裏面」のデータの上下方向の変換制御は、制御部９により行われ、制御部９は、図７に示すように、「裏面」の読取データを読取順に画像メモリ１０の記憶領域に書込み、読出時に書込方向と逆方向に画像データを読み出すことで、「裏面」の画像データを上下順方向に変換する。あるいは、図８に示すように、「裏面」の読取データを、図７における画像メモリ１０からの画像データの読出方向に書き込むことで、画像メモリ１０内に上下順方向の書込み、図７における画像メモリ１０への画像データの書込方向に画像データを読み出すことで、「裏面」の画像データを上下順方向に変換する。なお、図７，図８において、「○」は、スタート位置を示し、「●」はエンド位置を示している。
【００６９】
次に、上述の両面原稿のファクシミリ送信処理について、図９〜図１２に示すシーケンスに従って詳細に説明する。
【００７０】
まず、図９に示す両面原稿の読取手順及びファクシミリ送信手順に従ってファクシミリ送信処理の概要を説明する。
【００７１】
原稿載置部４から原稿ＰがＵ字搬送部６１に給送される（ステップＳ１）。このとき、原稿Ｐは原稿載置部４に上向きに載置されているので、原稿読取部７に対して「表面」が読取面となっている。Ｕ字搬送部６１に給送された原稿Ｐは、折返し搬送部６２に搬送され、この折返し搬送部６２で搬送方向がスイッチバックされてＵ字搬送部６１に再搬送される（ステップＳ３）。このスイッチバック処理により原稿Ｐの原稿読取部７に対する読取面は「裏面」に反転される。
【００７２】
原稿Ｐは、Ｕ字搬送部６１により原稿読取部７に搬送され（ステップＳ５）、まず、「裏面」のデータが読み取られ（ステップＳ７）、この読取データは画像メモリ１０に記憶される（ステップＳ９）。裏面読取後の原稿Ｐは、帰還搬送部６３及びＵ字搬送部６１を介して折返し搬送部６２に戻され（ステップＳ１１）、再度、この折返し搬送部６２で搬送方向がスイッチバックされる（ステップＳ１３）。
【００７３】
原稿Ｐは、折返し搬送部６２に戻された時点で表裏が反転し、「裏面」が読取面となっているから、２回目のスイッチバック処理により原稿読取部７に対する読取面は「表面」に反転される。そして、原稿Ｐは、Ｕ字搬送部６１により再度、原稿読取部７に搬送され（ステップＳ１５）、「表面」のデータの読取開始前に所定タイミングで発呼動作が行われる（ステップＳ１７）。すなわち、ファクシミリ装置１から送信先のＦＡＸ１８にリングバックトーン信号が送信される。ＦＡＸ１８は、このリングバック信号に応答して電話回線を接続し、所定の通信処理を行って受信待機状態となる。
【００７４】
そして、原稿Ｐの「表面」は、原稿読取部７に読み取られつつ、その読取データがＦＡＸ１８に送信され（ステップＳ１９，２１）、「表面」のデータの送信が終了とすると、１枚目の原稿の原稿排出部５への排出が行われる一方、画像メモリ１０から「裏面」のデータが読み出されてＦＡＸ１８に送信される（ステップＳ２３，Ｓ２５）。このとき、図７及び図８で説明したように、「裏面」のデータは、上下順方向に変換されてＦＡＸ１８に送信される。
【００７５】
そして、この後は、各原稿について上述と同様の手順で両面のデータがＦＡＸ１８に順次、送信される。
【００７６】
次に、図１０〜図１２に示す両面原稿のファクシミリ送信処理のシーケンスに従ってファクシミリ送信処理を具体的に説明する。
【００７７】
操作部１５から送信先のＦＡＸ Ｎｏ．、両面原稿送信モード、送信指示等の
情報が入力されると、原稿搬送回数のカウント値ｎが「１」にセットされ（ステップＳ３１）、給紙クラッチ６５３及び給紙ソレノイド６６１及び排出ソレノイド６６４がそれぞれ「ＯＮ」にされる（ステップＳ３３）。すなわち、帰還搬送部６３がＵ字搬送部６１に接続されるとともに、前送りローラ４１３が原稿Ｐの当接位置に下降され、給紙モータ６５１の駆動力の伝達方向を給紙ローラ４１１及び前送りローラ４１３側に設定される。
【００７８】
続いて、給紙モータ６５１が正転駆動され、原稿載置部４に載置された原稿Ｐの最上段の原稿Ｐの原稿搬送部６への給送が開始される（ステップＳ３５）。原稿搬送部６に給送された原稿ＰがフィードセンサＳ２により検出されると（ステップＳ３７でＹＥＳ）、その検出信号に基づき所定のタイミングＴ１で原稿枚数のカウント値Ｉが１だけインクリメントされる（ステップＳ３９，Ｓ４１）。今回は、最初の原稿Ｐであるから、Ｉ＝１にセットされる。また、給紙モータ６５１が停止されるとともに、給紙クラッチ６５３が「ＯＦＦ」にされる（ステップＳ４３）。すなわち、原稿Ｐの先端がレジストローラ対６１６にニップされた所定のタイミングで原稿Ｐの搬送を停止して原稿Ｐの斜め搬送の補正が行われる。
【００７９】
続いて、給紙モータ６５１の停止後、所定時間Ｔ２の経過後に（ステップＳ４５）、反転ソレノイド６６３及び反転加圧ソレノイド６６２がそれぞれ「ＯＮ」にされる。すなわち、Ｕ字搬送部６１に折返し搬送部６２が接続されるとともに、反転ローラ６２４に反転コロ６２５が圧接される（ステップＳ４７）。続いて、給紙モータ６５１が逆転駆動され（ステップＳ４９）、レジストローラ対６１６により原稿Ｐの搬送が再開される。
【００８０】
レジストローラ対６１６を通過した原稿Ｐは、反転分岐レバー６４１により第６搬送路６２１に案内され、折返し搬送部６２に搬送される。そして、反転センサＳ４により原稿Ｐが第６搬送路６２１に搬送されたことが検出されると（ステップＳ５１でＹＥＳ）、反転センサＳ４の検出タイミングから所定時間Ｔ３の経過後に給紙モータ６５１が「ＯＦＦ」にされるとともに、反転加圧ソレノイド６６２が「ＯＦＦ」にされる（ステップＳ５３，Ｓ５５）。この所定時間Ｔ３は、原稿Ｐが反転ローラ６２４及び反転コロ６２５により第８搬送路６２３に搬送され、原稿Ｐの後端部の所定位置が反転ローラ６２４及び反転コロ６２５にニップされるまでの時間である。
【００８１】
続いて、給紙モータ６５１が「ＯＦＦ」にされてから所定時間Ｔ４の経過後に反転加圧ソレノイド６６２が「ＯＮ」になり、反転コロ６２５が反転ローラ６２４に圧接され（ステップＳ５７，Ｓ５９）、給紙モータ６５１を正転駆動して原稿Ｐの逆方向搬送が開始される（ステップＳ６１）。
【００８２】
続いて、給紙モータ６５１が正転駆動開始から所定のタイミングＴ５で停止されるとともに、反転加圧ソレノイド６６２が「ＯＦＦ」にされる（ステップＳ６３，Ｓ６５）。このタイミングＴ５は、原稿Ｐの後端（逆搬送方向に対して先端。以下、搬送方向に対し前側を原稿Ｐの「先端」、後側を「後端」という。）が上搬送ローラ対６１７にニップされ、当該上搬送ローラ対６１７でスイッチバック後の原稿Ｐの斜め搬送が補正されるタイミングである。
【００８３】
続いて、所定のタイミングＴ６で搬送モータ６５２が逆転駆動される（ステップＳ６７，Ｓ６９）。すなわち、上搬送ローラ対６１７〜中間ローラ対６１９による原稿Ｐの原稿読取位置Ｐ３への搬送が開始される。そして、タイミングセンサＳ３により原稿Ｐの先端が検出されると（ステップＳ７１でＹＥＳ）、原稿給送枚数のカウント値Ｉが「１」、かつ、原稿搬送回数のカウント値ｎが「２」であるか否か（すなわち、１枚目の原稿Ｐの表面読取であるか否か）が判別され（ステップＳ７３）、Ｉ＝１かつｎ＝２であれば（すなわち、１枚目の原稿Ｐの表面読取であれば）（ステップＳ７３でＹＥＳ）、送信先のＦＡＸ１８への発呼動作が行われ（ステップＳ７５、図９のステップＳ１７参照）、Ｉ＝１かつｎ＝２でなければ（すなわち、１枚目の原稿Ｐの裏面読取であれば）（ステップＳ７３でＮＯ）、ステップＳ７５はスキップされる。
【００８４】
また、原稿搬送回数のカウント値ｎが「１」であるか否か（すなわち、原稿Ｐの１回目の読取り（裏面読取）であるか否か）が判別され（ステップＳ７７）、原稿Ｐの裏面読取であれば（ステップＳ７７でＹＥＳ）、ステップＳ７９に移行し、原稿Ｐの表面読取であれば（ステップＳ７７でＮＯ）、ステップＳ８９に移行する。
【００８５】
今回は１枚目の原稿Ｐの裏面読取であるから、ステップＳ７５はスキップされ、ステップＳ７９に移行し、タイミングセンサＳ３の検出信号に基づいて所定のタイミングＴ７で原稿読取部７により原稿Ｐの「裏面」の読取りが行われる（ステップＳ８１）。原稿Ｐはライン単位で読み取られ、「裏面」の読取データは順次、図７若しくは図８に示す書込方法で画像メモリ１０に書き込まれる（ステップＳ８３、図９のステップＳ９参照）。
【００８６】
そして、「裏面」の読取りが終了すると（ステップＳ８５でＹＥＳ）、カウント値ｎが「１」だけインクリメントされ（ステップＳ８７）、このカウント値ｎが「２」であるか否かが判別される（ステップＳ１０１）。ｎ＝１であれば（ステップＳ１０１でＮＯ）、原稿Ｐは、「表面」を読み取るべく帰還搬送部６３で折返し搬送部６２に戻されるので、ステップＳ４７に戻る。一方、ｎ＝２であれば（ステップＳ１０１でＹＥＳ）、原稿Ｐは両面の読取りが終了し、原稿排出部５に排出されるので、原稿載置部４に原稿Ｐが残っているか否かが判別され（ステップＳ１０３）、原稿載置部４に原稿Ｐが残っていれば（ステップＳ１０３でＮＯ）、ステップＳ３１に戻り、次の原稿Ｐの両面読取処理が行われ、原稿載置部４に原稿Ｐが残っていなければ（ステップＳ１０３でＹＥＳ）、両面原稿読取処理を終了する。
【００８７】
原稿Ｐの裏面読取が終了し、当該原稿Ｐの表面読取を行うべくステップＳ１０１からステップＳ４７に戻り、当該原稿Ｐが折り返し搬送部６２でスイッチバックされた後、原稿読取部７に搬送され、タイミングセンサＳ３で検出されると（ステップＳ７１でＹＥＳ）、今回は、１枚目の原稿Ｐの表面読取であるから、ＦＡＸ１８への発呼動作が行われた後（ステップＳ７３でＹＥＳ、ステップＳ７５）、原稿読取後の原稿Ｐを原稿排出部５に排出するべく排出ソレノイド６６４が「ＯＦＦ」にされ（ステップＳ８９）、タイミングセンサＳ３の検出信号に基づいて所定のタイミングＴ７で原稿読取部７により原稿Ｐの「表面」の読取りが行われる（ステップＳ９１，Ｓ９３）。
【００８８】
ライン単位で読み取られた原稿Ｐの「表面」の読取データは順次、ＦＡＸ１８に送信され（ステップＳ９５）、「表面」の読取り及びＦＡＸ１８への送信が終了すると（ステップＳ９７でＹＥＳ）、引き続き画像メモリ１０から「裏面」のデータが読み出され、ＦＡＸ１８に送信される（ステップＳ９９）。このとき、「裏面」のデータは、図７若しくは図８に示す書込方法に対応した読出方法で画像メモリ１０から読み出され、上下順方向に変換されてＦＡＸ１８に送信される。そして、「裏面」のデータの送信が終了すると、ステップＳ１０１に移行する。
【００８９】
今回は、１枚目の原稿Ｐの両面読取が終了し、当該原稿Ｐは原稿排出部５に排出されるので、ステップＳ１０１からステップＳ１０３に移行し、原稿載置部４に原稿Ｐが残っているか否かが判別され、原稿載置部４に原稿Ｐが残っていれば（ステップＳ１０３でＮＯ）、ステップＳ３１に戻り、次の原稿Ｐの両面読取処理が行われ、原稿載置部４に原稿Ｐが残っていなければ（ステップＳ１０１でＹＥＳ）、両面原稿読取処理を終了する。
【００９０】
上記のように、原稿載置部４に「表面」を上にして載置された複数枚の原稿Ｐを最上段から１枚ずつ給送し、各原稿をスイッチバック方式により表裏反転しつつ原稿読取部７に搬送し、「裏面」から「表面」の順に読み取りつつダイレクトに送信先のＦＡＸ１８に送信するファクシミリ装置１において、先に読み取られる「裏面」のデータを画像メモリ１０に退避的に保存しておき、「表面」の読取データがＦＡＸ１８に送信された後、画像メモリ１０から読み出してＦＡＸ１８に送信するようにしているので、ＦＡＸ１８に複数枚の原稿Ｐをページ順に送信することができる。
【００９１】
また、上下逆方向に読み取られる「裏面」のデータを上下順方向に変換してＦＡＸ１８に送信するようにしているので、各ページのデータを上下順方向に揃えてＦＡＸ１８に送信することができる。
【００９２】
更に、ＦＡＸ１８への発呼動作を１枚目の原稿Ｐの「表面」の読取タイミングの直前に行うようにしているので、ＦＡＸ１８の回線が接続された後、直ちに原稿Ｐのデータを送信することができ、発呼動作後に原稿Ｐの両面読取動作を行うのに対し通信の効率化、通信費の節約を図ることができる。また、発呼からデータ送信開始までの待機時間に回線が切れるという不都合もなくなる。
【００９３】
なお、上述のシーケンスでは１枚目の原稿Ｐの「表面」の読取タイミングの直前でＦＡＸ１８への発呼動作を行うようにしているが、１枚目の原稿Ｐの「裏面」の読取後から「表面」の読取前の任意のタイミングで行うようにしても上述の効果を得ることができる。例えば裏面読取後の原稿Ｐが再度、折返し搬送部６２に搬送されたことを反転センサＳ４で検出されたタイミングで、若しくはこの検出信号に基づき所定のタイミング（例えばスイッチバック後の原稿Ｐが上搬送ローラ対６１７に搬送されたタイミング等）で発呼動作を行うようにしてもよい。
【００９４】
なお、上記実施の形態では、原稿読取部７がＵ字搬送路に対して外側に配置されているので、原稿載置部４に「表面」を上向きにして載置された原稿Ｐを上取り方式で搬送した場合、ページ順を揃えて排出できるような原稿給送では、各原稿Ｐの読取順が「裏面」から「表面」になるものであったが、図１３に示すように、原稿読取部７がＵ字搬送路に対して内側に配置され（図１において、原稿読取部７が第４搬送路６１４の上側に配置され）、原稿載置部４に「裏面」を上向きにして載置された原稿Ｐを上取り方式で搬送した場合にもページ順を揃えて排出できるような原稿給送置Ｐ３では、各原稿Ｐの読取順が「裏面」から「表面」になるので、かかる構成においても上述の原稿読取処理及び読取データの送信処理を採用することにより、両面原稿をページ順に各ページのデータを上下順方向に揃えて送信できるとともに、通信の効率化を図ることができる。
【００９５】
【発明の効果】
以上説明したように、原稿載置部に積載された複数枚の原稿から最上段の原稿を１枚ずつ主搬送路に給送し、当該原稿を折返し搬送路でスイッチバックして原稿読取部に搬送するとともに、帰還搬送路で主搬送路に戻し、再度、折返し搬送路でスイッチバックして原稿読取部に搬送することにより、裏面から表面の順に各原稿を読み取る自動原稿読取装置を備え、この自動原稿読取装置で各原稿の両面のデータが読み取られる毎に、当該データを送信先に送信するファクシミリ装置であって、先に読み取られる原稿の「裏面」のデータを一旦、記憶手段に記憶しておき、原稿の「表面」のデータが読み取られると、その「表面」のデータを送信先に送信した後、記憶手段に記憶された「裏面」のデータを送信先に送信するようにしたので、「裏面」から「表面」の順に原稿が読み取られる場合にも原稿の「裏面」の読取動作を無駄にすることなく効率良く原稿の読取りができるとともに、送信先にも原稿の表裏両面のデータをページ順に効率良く送信することができる。
【００９６】
また、上記ファクシミリ装置において、上下逆方向に読み取られた「裏面」のデータを上下順方向に変換して送信先に送信するにしたので、原稿の各ページのデータを上側から下側の方向に順番に送信先に送信することができる。
【００９７】
また、上記ファクシミリ装置において、原稿の裏面のデータの読取終了後から表面のデータの読取開始前の間で発呼動作を行うようにしたので、発呼動作からデータ送りまでの待機時間が短くでき、送信先の回線が接続されると、直ちに原稿の読取データを送信先に送信することができる。これにより通信時間の無駄がなく、通信の効率化、通信費の節約に寄与する。
【図面の簡単な説明】
【図１】  本発明に係るファクシミリ装置の一実施の形態を示す要部構成図である。
【図２】  自動原稿送り部内の原稿搬送部の構成を示す図である。
【図３】    原稿載置部に上向きに載置された両面原稿を原稿上取り方式で搬送する際の搬送制御を示す図である。
【図４】  本発明に係るファクシミリ装置のブロック構成の一実施の形態を示す図である。
【図５】  自動原稿送り部の制御系の一実施の形態のブロック構成を示す図である。
【図６】  両面原稿読取における各面のデータ読取方向を示す図である。
【図７】  上下逆方向に読み取られた「裏面」のデータの画像メモリへの書込／読出方法の第１の実施形態を示す図である。
【図８】  上下逆方向に読み取られた「裏面」のデータの画像メモリへの書込／読出方法の第２の実施形態を示す図である。
【図９】  両面原稿の読取手順及びファクシミリ送信手順を示す図である。
【図１０】  両面原稿のファクシミリ送信処理のシーケンスを示す図である。
【図１１】  両面原稿のファクシミリ送信処理のシーケンスを示す図である。
【図１２】  両面原稿のファクシミリ送信処理のシーケンスを示す図である。
【図１３】  原稿載置部に下向きに載置された両面原稿を原稿上取り方式で搬送する際の搬送制御を示す図である。
【符号の説明】
１  ファクシミリ装置
２  自動原稿送り部（自動原稿読取装置の構成要素）
３  データ通信処理部
４  原稿載置部
４１  分離給送部
５  原稿排出部
６  原稿搬送部
６１  Ｕ字搬送部
６１１  第１搬送路（Ｕ字搬送路の構成要素）
６１２  第２搬送路（Ｕ字搬送路の構成要素）
６１３  第３搬送路（Ｕ字搬送路の構成要素）
６１４  第４搬送路（Ｕ字搬送路の構成要素）
６１５  第５搬送路（Ｕ字搬送路の構成要素）
６２  折返し搬送部
６２１  第６搬送路
６２２  第７搬送路（折返し搬送路）
６２３  第８搬送路
６３  帰還搬送部
７  原稿読取部（自動原稿読取装置の構成要素）
８  画像処理部
９  制御部（送信制御手段、データ書込手段、データ読取手段、発呼制御手段）
１０  画像メモリ（記憶手段）
１１  画像記録部
１２  符号化／復号化部
１３  変復調部
１４  ＮＣＵ
１５  操作部
１６  表示部
１７  電話回線
１８  ＦＡＸ
Ｓ１  原稿セットセンサ
Ｓ２  フィードセンサ
Ｓ３  タイミングセンサ（タイミング検知手段）
Ｓ４  反転センサ（原稿検知手段）
【図１】
0003895454.tif 000002
【図２】
0003895454.tif 000003
【図３】
0003895454.tif 000004
【図４】
0003895454.tif 000005
【図５】
0003895454.tif 000006
【図６】
0003895454.tif 000007
【図７】
0003895454.tif 000008
【図８】
0003895454.tif 000009
【図９】
0003895454.tif 000010
【図１０】
0003895454.tif 000011
【図１１】
0003895454.tif 000012
【図１２】
0003895454.tif 000013
【図１３】
0003895454.tif 000014